(57)【要約】【課題】複数種類の無線アクセスネットワークを含む移動通信システムにおいて、移動局の通信を開始する無線アクセスネットワークを適切に選択する。【解決手段】本発明に係る移動通信方法は、無線基地局ｅＮＢが、無線回線制御局ＲＮＣに対して、無線基地局ｅＮＢにおける負荷情報又は無線基地局ｅＮＢ配下のセルについての規制情報の少なくとも一方を含むアクセス情報を通知する工程Ａと、無線回線制御局ＲＮＣ配下のセルにて待ち受けを行っている移動局ＵＥが、無線回線制御局ＲＮＣ配下のセルと無線基地局ｅＮＢ配下のセルとが重複するエリアに移動した場合に、無線回線制御局ＲＮＣに対して、通信開始要求信号を送信する工程Ｂと、無線回線制御局ＲＮＣが、アクセス情報に基づいて、無線回線制御局ＲＮＣ配下のセル又は無線基地局ｅＮＢ配下のセルのどちらで移動局ＵＥの通信を開始すべきかについて決定する工程Ｃとを有する。【選択図】図１
2010258898.tif 000002
【特許請求の範囲】
【請求項１】
第２無線アクセスネットワーク内の第２無線アクセスネットワーク装置が、第１無線アクセスネットワーク内の第１無線アクセスネットワーク装置に対して、該第２無線アクセスネットワーク装置における負荷情報又は該第２無線アクセスネットワーク装置配下のセルについての規制情報の少なくとも一方を含むアクセス情報を通知する工程Ａと、
前記第１無線アクセスネットワーク装置配下のセルにて待ち受けを行っている移動局が、該第１無線アクセスネットワーク装置配下のセルと前記第２無線アクセスネットワーク装置配下のセルとが重複するエリアに移動した場合に、該第１無線アクセスネットワーク装置に対して、通信開始要求信号を送信する工程Ｂと、
前記第１無線アクセスネットワーク装置が、前記アクセス情報に基づいて、前記第１無線アクセスネットワーク装置配下のセル又は前記第２無線アクセスネットワーク装置配下のセルのどちらで前記移動局の通信を開始すべきかについて決定する工程Ｃとを有することを特徴とする移動通信方法。
【請求項２】
前記第１無線アクセスネットワーク装置が、前記工程Ｃにおいて、前記第２無線アクセスネットワーク装置配下のセルで前記移動局の通信を開始すべきであると決定した場合、該移動局に対して、その旨を示す再接続指示信号を送信する工程Ｄを更に有することを特徴とする請求項１に記載の移動通信方法。
【請求項３】
前記工程Ａは、
前記第２無線アクセスネットワーク装置が、該第２無線アクセスネットワーク装置を収容する交換局に対して、前記アクセス情報を送信する工程と、
前記第２無線アクセスネットワーク装置を収容する交換局が、前記第１無線アクセスネットワーク装置を収容する交換局に対して、前記アクセス情報を転送する工程と、
前記第１無線アクセスネットワーク装置を収容する交換局が、該第１無線アクセスネットワーク装置に対して、前記アクセス情報を転送する工程とを有することを特徴とする請求項１に記載の移動通信方法。
【請求項４】
前記工程Ａにおいて、前記負荷情報又は前記規制情報に変更があった場合、或いは、前記第１無線アクセスネットワーク装置からの要求があった場合に、前記第２無線アクセスネットワーク装置が、該第１無線アクセスネットワーク装置に対して、該負荷情報又は該規制情報を含むアクセス情報を通知することを特徴とする請求項１に記載の移動通信方法。
【請求項５】
第２無線アクセスネットワーク内の第２無線アクセスネットワーク装置として機能する無線アクセスネットワーク装置であって、
第１無線アクセスネットワーク内の第１無線アクセスネットワーク装置を収容する交換局に対して特定情報を転送するためのメッセージ内に、前記第２無線アクセスネットワーク装置における負荷情報又は該第２無線アクセスネットワーク装置配下のセルについての規制情報の少なくとも一方を含むアクセス情報を含めて、該第２無線アクセスネットワーク装置を収容する交換局に対して送信することによって、該第１無線アクセスネットワーク装置に対して、該アクセス情報を通知するように構成されている通知部を具備することを特徴とする無線アクセスネットワーク装置。
【請求項６】
前記通知部は、前記負荷情報又は前記規制情報に変更があった場合、或いは、前記第１無線アクセスネットワーク装置からの要求があった場合に、該第１無線アクセスネットワーク装置に対して、該負荷情報又は該規制情報を含むアクセス情報を通知するように構成されていることを特徴とする請求項５に記載の無線アクセスネットワーク装置。
【請求項７】
第１無線アクセスネットワーク内の第１無線アクセスネットワーク装置として機能する無線アクセスネットワーク装置であって、
第２無線アクセスネットワーク内の第２無線アクセスネットワーク装置から、該第２無線アクセスネットワーク装置における負荷情報又は該第２無線アクセスネットワーク装置配下のセルについての規制情報の少なくとも一方を含むアクセス情報を取得するように構成されている取得部と、
前記第１無線アクセスネットワーク装置配下のセルにて待ち受けを行っている移動局が、該第１無線アクセスネットワーク装置配下のセルと前記第２無線アクセスネットワーク装置配下のセルとが重複するエリアに移動し、該第１無線アクセスネットワーク装置に対して、通信開始要求信号を送信した場合に、前記アクセス情報に基づいて、前記第１無線アクセスネットワーク装置配下のセル又は前記第２無線アクセスネットワーク装置配下のセルのどちらで該移動局の通信を開始すべきかについて決定するように構成されている決定部とを具備することを特徴とする無線アクセスネットワーク装置。
【請求項８】
前記決定部が、前記第２無線アクセスネットワーク装置配下のセルで前記移動局の通信を開始すべきであると決定した場合、該移動局に対して、その旨を示す再接続指示信号を送信するように構成されている再接続指示信号送信部を更に具備することを特徴とする請求項７に記載の無線アクセスネットワーク装置。
【発明の詳細な説明】
【技術分野】
【０００１】
本発明は、移動通信方法及び無線アクセスネットワーク装置に関する。
【背景技術】
【０００２】
図１９を参照して、Ｅ-ＵＴＲＡＮ（Ｅｖｏｌｖｅｄ-ＵＴＲＡＮ）及びＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を含む従来の移動通信システムにおける移動局ＵＥの発信処理について説明する。
【０００３】
図１９に示すように、ステップ２において、ＵＴＲＡＮ内のセル（ＵＴＲＡＮ内の無線回線制御局ＲＮＣ（すなわち、無線基地局ＮｏｄｅＢ）配下のセル）にて待ち受けを行っている移動局ＵＥが、ステップ３において、ＵＴＲＡＮ内のセルとＥ-ＵＴＲＡＮ内のセル（ＵＴＲＡＮ内の無線基地局ｅＮＢ）配下のセル）とが地理的に重複しているエリアに移動し、ステップ４において、ＰＳ（Ｐａｃｋｅｔ  Ｓｗｉｔｃｈｅｄ）通信を開始するために、無線回線制御局ＲＮＣに対して、「ＲＲＣ  Ｃｏｎｎｅｃｔｉｏｎ  Ｒｅｑｕｅｓｔ（通信開始信号）」を送信した場合に、無線回線制御局ＲＮＣは、ステップ５において、移動局ＵＥに対して、Ｅ-ＵＴＲＡＮ内のセルにおいてＰＳ通信を開始すべきであることを示す「Ｒｅｄｉｒｅｃｔｉｏｎ  Ｉｎｆｏ（再接続指示信号）」を含む「ＲＲＣ  Ｃｏｎｎｅｃｔｉｏｎ  Ｒｅｊｅｃｔ」を送信することができる。
【０００４】
３ＧＰＰでは、かかる無線回線制御局ＲＮＣの動作のことを「Ｆｉｒｓｔ  Ｒｅｄｉｒｅｃｔｉｏｎ」と呼ぶ。
【先行技術文献】
【非特許文献】
【０００５】
【非特許文献１】３ＧＰＰ  ＴＳ２５.３３１
【非特許文献２】３ＧＰＰ  ＴＳ２５.４１３
【非特許文献３】３ＧＰＰ  ＴＳ３６.３３１
【非特許文献４】３ＧＰＰ  ＴＳ３６.４１３
【発明の概要】
【発明が解決しようとする課題】
【０００６】
しかしながら、従来の移動通信システムでは、無線回線制御局ＲＮＣは、混雑しているＥ-ＵＴＲＡＮ内のセルや通信が規制されているＥ-ＵＴＲＡＮ内のセルに対して「Ｆｉｒｓｔ  Ｒｅｄｉｒｅｃｔｉｏｎ」を行い、移動局ＵＥのＰＳ通信の開始が失敗してしまう可能性があった。
【０００７】
そこで、本発明は、上述の課題に鑑みてなされたものであり、複数種類の無線アクセスネットワークを含む移動通信システムにおいて、移動局の通信を開始する無線アクセスネットワークを適切に選択することができる移動通信方法及び無線アクセスネットワーク装置を提供することを目的とする。
【課題を解決するための手段】
【０００８】
本発明の第１の特徴は、移動通信方法であって、第２無線アクセスネットワーク内の第２無線アクセスネットワーク装置が、第１無線アクセスネットワーク内の第１無線アクセスネットワーク装置に対して、該第２無線アクセスネットワーク装置における負荷情報又は該第２無線アクセスネットワーク装置配下のセルについての規制情報の少なくとも一方を含むアクセス情報を通知する工程Ａと、前記第１無線アクセスネットワーク装置配下のセルにて待ち受けを行っている移動局が、該第１無線アクセスネットワーク装置配下のセルと前記第２無線アクセスネットワーク装置配下のセルとが重複するエリアに移動した場合に、該第１無線アクセスネットワーク装置に対して、通信開始要求信号を送信する工程Ｂと、前記第１無線アクセスネットワーク装置が、前記アクセス情報に基づいて、前記第１無線アクセスネットワーク装置配下のセル又は前記第２無線アクセスネットワーク装置配下のセルのどちらで前記移動局の通信を開始すべきかについて決定する工程Ｃとを有することを要旨とする。
【０００９】
本発明の第２の特徴は、第２無線アクセスネットワーク内の第２無線アクセスネットワーク装置として機能する無線アクセスネットワーク装置であって、第１無線アクセスネットワーク内の第１無線アクセスネットワーク装置を収容する交換局に対して特定情報を転送するためのメッセージ内に、前記第２無線アクセスネットワーク装置における負荷情報又は該第２無線アクセスネットワーク装置配下のセルについての規制情報の少なくとも一方を含むアクセス情報を含めて、該第２無線アクセスネットワーク装置を収容する交換局に対して送信することによって、該第１無線アクセスネットワーク装置に対して、該アクセス情報を通知するように構成されている通知部を具備することを要旨とする。
【００１０】
本発明の第３の特徴は、第１無線アクセスネットワーク内の第１無線アクセスネットワーク装置として機能する無線アクセスネットワーク装置であって、第２無線アクセスネットワーク内の第２無線アクセスネットワーク装置から、該第２無線アクセスネットワーク装置における負荷情報又は該第２無線アクセスネットワーク装置配下のセルについての規制情報の少なくとも一方を含むアクセス情報を取得するように構成されている取得部と、前記第１無線アクセスネットワーク装置配下のセルにて待ち受けを行っている移動局が、該第１無線アクセスネットワーク装置配下のセルと前記第２無線アクセスネットワーク装置配下のセルとが重複するエリアに移動し、該第１無線アクセスネットワーク装置に対して、通信開始要求信号を送信した場合に、前記アクセス情報に基づいて、前記第１無線アクセスネットワーク装置配下のセル又は前記第２無線アクセスネットワーク装置配下のセルのどちらで該移動局の通信を開始すべきかについて決定するように構成されている決定部とを具備することを要旨とする。
【発明の効果】
【００１１】
以上説明したように、本発明によれば、複数種類の無線アクセスネットワークを含む移動通信システムにおいて、移動局の通信を開始する無線アクセスネットワークを適切に選択することができる移動通信方法及び無線アクセスネットワーク装置を提供することができる。
【図面の簡単な説明】
【００１２】
【図１】本発明の第１の実施形態に係る移動通信システムの全体構成図である。
【図２】本発明の第１の実施形態に係る移動通信システム内で送受信されるメッセージについて説明するための図である。
【図３】本発明の第１の実施形態に係る移動通信システム内で送受信される「ｅＮＢ  ＤＩＲＥＣＴ  ＩＮＦＯＲＭＡＴＩＯＮ  ＴＲＡＮＳＦＥＲ」のフォーマット例を示す図である。
【図４】本発明の第１の実施形態に係る移動通信システム内で送受信される「ｅＮＢ  ＤＩＲＥＣＴ  ＩＮＦＯＲＭＡＴＩＯＮ  ＴＲＡＮＳＦＥＲ」に含まれる情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」の一例を示す図である。
【図５】本発明の第１の実施形態に係る移動通信システム内で送受信される「ｅＮＢ  ＤＩＲＥＣＴ  ＩＮＦＯＲＭＡＴＩＯＮ  ＴＲＡＮＳＦＥＲ」に含まれる情報要素「Ｅ-ＵＴＲＡＮ  Ａｃｃｅｓｓ  Ｉｎｆｏ」の一例を示す図である。
【図６】本発明の第１の実施形態に係る移動通信システム内で送受信される「ｅＮＢ  ＤＩＲＥＣＴ  ＩＮＦＯＲＭＡＴＩＯＮ  ＴＲＡＮＳＦＥＲ」に含まれる情報要素「Ｅ-ＵＴＲＡＮ  Ａｃｃｅｓｓ  Ｒｅｌａｔｅｄ  Ｉｎｆｏｒｍａｔｉｏｎ」の一例を示す図である。
【図７】本発明の第１の実施形態に係る移動通信システム内で送受信される「ｅＮＢ  ＤＩＲＥＣＴ  ＩＮＦＯＲＭＡＴＩＯＮ  ＴＲＡＮＳＦＥＲ」に含まれる情報要素「Ｅ-ＵＴＲＡＮ  Ｒｏｕｔｉｎｇ  Ａｄｄｒｅｓｓ」の一例を示す図である。
【図８】本発明の第１の実施形態に係る移動通信システム内で送受信される「ＤＩＲＥＣＴ  ＩＮＦＯＲＭＡＴＩＯＮ  ＴＲＡＮＳＦＥＲ」のフォーマット例を示す図である。
【図９】本発明の第１の実施形態に係る移動通信システム内で送受信される「ＤＩＲＥＣＴ  ＩＮＦＯＲＭＡＴＩＯＮ  ＴＲＡＮＳＦＥＲ」に含まれる情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」の一例を示す図である。
【図１０】本発明の第１の実施形態に係る移動通信システム内で送受信される「ＲＲＣ  Ｃｏｎｎｅｃｔｉｏｎ  Ｒｅｊｅｃｔ」に含まれる「Ｒｅｄｉｒｅｃｔｉｏｎ  ｉｎｆｏ」の一例を示す図である。
【図１１】本発明の第１の実施形態に係る移動通信システム内で送受信される「Ｒｅｄｉｒｅｃｔｉｏｎ  ｉｎｆｏ」に含まれる情報要素「Ｉｎｔｅｒ-ＲＡＴ  ｉｎｆｏ」の一例を示す図である。
【図１２】本発明の第１の実施形態に係る移動通信システム内で送受信される「Ｒｅｄｉｒｅｃｔｉｏｎ  ｉｎｆｏ」に含まれる情報要素「Ｉｎｔｅｒ-ＲＡＴ  ｉｎｆｏ」に含まれる情報要素「Ｅ-ＵＴＲＡ  Ｔａｒｇｅｔ  ｉｎｆｏ」の一例を示す図である。
【図１３】本発明の第１の実施形態に係る移動通信システムの全体構成図である。
【図１４】本発明の第１の実施形態に係る移動通信システム内で送受信されるメッセージについて説明するための図である。
【図１５】本発明の第１の実施形態に係る移動通信システム内で送受信される「ｅＮＢ  ＤＩＲＥＣＴ  ＩＮＦＯＲＭＡＴＩＯＮ  ＴＲＡＮＳＦＥＲ」に含まれる情報要素「ＵＴＲＡＮ  Ａｃｃｅｓｓ  Ｉｎｆｏ」の一例を示す図である。
【図１６】本発明の第１の実施形態に係る移動通信システム内で送受信される「ｅＮＢ  ＤＩＲＥＣＴ  ＩＮＦＯＲＭＡＴＩＯＮ  ＴＲＡＮＳＦＥＲ」メッセージに含まれる情報要素「ＵＴＲＡＮ  Ａｃｃｅｓｓ  Ｒｅｌａｔｅｄ  Ｉｎｆｏｒｍａｔｉｏｎ」の一例を示す図である。
【図１７】本発明の第１の実施形態に係る移動通信システム内で送受信される「ＭＭＥ  ＤＩＲＥＣＴ  ＩＮＦＯＲＭＡＴＩＯＮ  ＴＲＡＮＳＦＥＲ」メッセージのフォーマット例を示す図である。
【図１８】本発明の第１の実施形態に係る無線回線制御局及び無線基地局の機能ブロック図である。
【図１９】従来の移動通信システムの全体構成図である。
【発明を実施するための形態】
【００１３】
（本発明の第１の実施形態に係る移動通信システム）
図１乃至図１７を参照して、本発明の第１の実施形態に係る移動通信システムについて説明する。
【００１４】
図１に示すように、本実施形態に係る移動通信システムは、Ｅ-ＵＴＲＡＮ及びＵＴＲＡＮを有している。
【００１５】
また、本実施形態に係る移動通信システムは、Ｅ-ＵＴＲＡＮ内の無線アクセスネットワーク装置である無線基地局ｅＮＢと、無線基地局ｅＮＢを収容する交換局ＭＭＥと、ＵＴＲＡＮ内の無線アクセスネットワーク装置である無線回線制御局ＲＮＣ及び無線基地局ＮｏｄｅＢと、無線回線制御局ＲＮＣを収容する交換局ＳＧＳＮとを具備している。
【００１６】
ここで、かかる移動通信システムにおける移動局ＵＥの発信処理（ＰＳ通信の開始処理）の一例について説明する。
【００１７】
第１に、ＵＴＲＡＮ内のセルにて待ち受けを行っている移動局ＵＥがＥ-ＵＴＲＡＮ内のセルにおいてＰＳ通信を開始する場合の例について説明する。
【００１８】
図１に示すように、ステップ１において、無線基地局ｅＮＢ（第２無線アクセスネットワーク装置）が、無線回線制御局ＲＮＣ（第１無線アクセスネットワーク装置）に対して、無線基地局ｅＮＢにおける負荷情報又は無線基地局ｅＮＢ配下のセルについての規制情報の少なくとも一方を含む「Ｅ-ＵＴＲＡＮ  Ａｃｃｅｓｓ  Ｒｅｌａｔｅｄ  Ｉｎｆｏｒｍａｔｉｏｎ（アクセス情報）」を通知する。
【００１９】
具体的には、図２に示すように、第１に、無線基地局ｅＮＢが、Ｓ１インターフェイスを介して、交換局ＭＭＥに対して、「ｅＮＢ  ＤＩＲＥＣＴ  ＩＮＦＯＲＭＡＴＩＯＮ  ＴＲＡＮＳＦＥＲ」を用いて、「Ｅ-ＵＴＲＡＮ  Ａｃｃｅｓｓ  Ｒｅｌａｔｅｄ  Ｉｎｆｏｒｍａｔｉｏｎ」を送信し、第２に、交換局ＭＭＥが、Ｓ３インターフェイスを介して、交換局ＳＧＳＮに対して、「ＲＡＮ  ＩＮＦＯＲＭＡＴＩＯＮ  ＲＥＬＡＹ」を用いて、「Ｅ-ＵＴＲＡＮ  Ａｃｃｅｓｓ  Ｒｅｌａｔｅｄ  Ｉｎｆｏｒｍａｔｉｏｎ」を転送し、第３に、交換局ＳＧＳＮが、Ｉｕインターフェイスを介して、無線回線制御局ＲＮＣに対して、「ＤＩＲＥＣＴ  ＩＮＦＯＲＭＡＴＩＯＮ  ＴＲＡＮＳＦＥＲ」を用いて、「Ｅ-ＵＴＲＡＮ  Ａｃｃｅｓｓ  Ｒｅｌａｔｅｄ  Ｉｎｆｏｒｍａｔｉｏｎ」を転送することによって、無線基地局ｅＮＢが、無線回線制御局ＲＮＣに対して、「Ｅ-ＵＴＲＡＮ  Ａｃｃｅｓｓ  Ｒｅｌａｔｅｄ  Ｉｎｆｏｒｍａｔｉｏｎ」を通知することができる。
【００２０】
ここで、「ｅＮＢ  ＤＩＲＥＣＴ  ＩＮＦＯＲＭＡＴＩＯＮ  ＴＲＡＮＳＦＥＲ」は、無線基地局ｅＮＢから交換局ＭＭＥに対して特定情報を転送するためのメッセージであり、例えば、図３に示すように、情報要素（ＩＥ）として、「Ｍｅｓｓａｇｅ  Ｔｙｐｅ」及び「Ｉｎｆｏｒｍａｔｉｏｎ  Ｔｒａｎｓｆｅｒ  Ｔｙｐｅ」を有する。
【００２１】
「Ｍｅｓｓａｇｅ  Ｔｙｐｅ」は、３ＧＰＰ  ＴＳ３６.４１３の９.２.１.１に規定されている情報要素であり、「Ｉｎｆｏｒｍａｔｉｏｎ  Ｔｒａｎｓｆｅｒ  Ｔｙｐｅ」は、図４に示すように、情報要素として、「ＲＩＭ  Ｔｒａｎｓｆｅｒ」、「Ｅ-ＵＴＲＡＮ  Ａｃｃｅｓｓ  Ｉｎｆｏ」又は「ＵＴＲＡＮ  Ａｃｃｅｓｓ  Ｉｎｆｏ」のいずれか１つを含む情報要素である。
【００２２】
図２の場合、「Ｉｎｆｏｒｍａｔｉｏｎ  Ｔｒａｎｓｆｅｒ  Ｔｙｐｅ」には、情報要素として、「Ｅ-ＵＴＲＡＮ  Ａｃｃｅｓｓ  Ｉｎｆｏ」が含まれている。
【００２３】
「Ｅ-ＵＴＲＡＮ  Ａｃｃｅｓｓ  Ｉｎｆｏ」は、図５に示すように、情報要素として、「Ｅ-ＵＴＲＡＮ  Ａｃｃｅｓｓ  Ｒｅｌａｔｅｄ  Ｉｎｆｏｒｍａｔｉｏｎ」及び「Ｅ-ＵＴＲＡＮ  Ｒｏｕｔｉｎｇ  Ａｄｄｒｅｓｓ」を有する。
【００２４】
なお、「ＲＩＭ  Ｔｒａｎｓｆｅｒ」は、３ＧＰＰ  ＴＳ３６.４１３の９.２.３.２３に規定されている情報要素である。「ＵＴＲＡＮ  Ａｃｃｅｓｓ  Ｒｅｌａｔｅｄ  Ｉｎｆｏｒｍａｔｉｏｎ」については、後述する。
【００２５】
「Ｅ-ＵＴＲＡＮ  Ａｃｃｅｓｓ  Ｒｅｌａｔｅｄ  Ｉｎｆｏｒｍａｔｉｏｎ」は、図６に示すように、情報要素として、「Ｏｖｅｒｌｏａｄ  Ｓｔａｒｔ  ａｃｔｉｖａｔｉｏｎ  ｓｔａｔｕｓ」及び「Ｓｅｒｖｅｄ  Ｃｅｌｌｓ」を有する。
【００２６】
「Ｏｖｅｒｌｏａｄ  Ｓｔａｒｔ  ａｃｔｉｖａｔｉｏｎ  ｓｔａｔｕｓ」は、交換局ＭＭＥから、「ｅＮＢ  ＤＩＲＥＣＴ  ＩＮＦＯＲＭＡＴＩＯＮ  ＴＲＡＮＳＦＥＲ」の送信元の無線アクセスネットワーク装置（図２の例では、無線基地局ｅＮＢ）に対して、オーバーロード状態の開始が指示されているか否かについて示す情報要素である。
【００２７】
「Ｓｅｒｖｅｄ  Ｃｅｌｌｓ」は、「ＰＣＩ」、「Ｅ-ＵＴＲＡＮ  Ｃｅｌｌ  ＩＤ」、「Ｃｅｌｌ  Ｒｅｓｅｒｖｅｄ  Ｆｏｒ  Ｏｐｅｒａｔｏｒ  Ｕｓｅ」、「Ｃｅｌｌ  Ｂａｒｒｅｄ」、「Ｒａｄｉｏ  Ｒｅｓｏｕｒｃｅ  Ｓｔａｔｕｓ」、「Ｈａｒｄｗａｒｅ  Ｌｏａｄ」、「ＴＮＬ  Ｌｏａｄ」を指定することができる情報要素である。
【００２８】
「ＰＣＩ」は、ＰＳ通信を提供可能なセルのＰＣＩ（Ｐｈｙｓｉｃａｌ    Ｃｅｌｌ  Ｉｄｅｎｔｉｆｉｅｒ）を含む情報であり、「Ｅ-ＵＴＲＡＮ  Ｃｅｌｌ  ＩＤ」は、ＰＳ通信を提供可能なセルについてＥ-ＵＴＲＡＮ内で一意に特定できるセルＩＤを含む情報である。
【００２９】
「Ｃｅｌｌ  Ｒｅｓｅｒｖｅｄ  Ｆｏｒ  Ｏｐｅｒａｔｏｒ  Ｕｓｅ」は、３ＧＰＰのＴＳ３６.３３１に規定されている情報であって、オペレータの工事又は試験用に使用されているセルのリストを含む情報（規制情報の一種）である。
【００３０】
「Ｃｅｌｌ  Ｂａｒｒｅｄ」は、３ＧＰＰのＴＳ３６.３３１に規定されている情報であって、通信規制中のセルのリストを含む情報（規制情報の一種）である。
【００３１】
「Ｒａｄｉｏ  Ｒｅｓｏｕｒｃｅ  Ｓｔａｔｕｓ」は、ＧＢＲベアラ及び非ＧＢＲベアラ用の下りリンク及び上りリンクにおけるＰＲＢ（Ｐｈｙｓｉｃａｌ  Ｒｅｓｏｕｒｃｅ  Ｂｌｏｃｋ）の使用率や、下りリンク及び上りリンクにおけるＰＲＢの総使用率等を含む情報（負荷情報の一種）である。
【００３２】
「Ｈａｒｄｗａｒｅ  Ｌｏａｄ」は、「ｅＮＢ  ＤＩＲＥＣＴ  ＩＮＦＯＲＭＡＴＩＯＮ  ＴＲＡＮＳＦＥＲ」の送信元の無線アクセスネットワーク装置（図２の例では、無線基地局ｅＮＢ）のハードウェア（例えば、ＣＰＵ）の負荷を示すインディケータを含む情報（負荷情報の一種）である。
【００３３】
「ＴＮＬ  Ｌｏａｄ」は、トランスポートネットワーク（「ｅＮＢ  ＤＩＲＥＣＴ  ＩＮＦＯＲＭＡＴＩＯＮ  ＴＲＡＮＳＦＥＲ」の送信元の無線アクセスネットワーク装置（図２の例では、無線基地局ｅＮＢ）とコアネットワーク装置（図２の例では、交換局ＭＭＥとの間の伝送路）の負荷を示すインディケータを含む情報（負荷情報の一種）である。
【００３４】
また、「Ｅ-ＵＴＲＡＮ  Ｒｏｕｔｉｎｇ  Ａｄｄｒｅｓｓ」は、図７に示すように、情報要素として、「Ｔａｒｇｅｔ  ＩＤ」及び「Ｓｏｕｒｃｅ  ＩＤ」を有する。ここで、「Ｔａｒｇｅｔ  ＩＤ」は、３ＧＰＰ  ＴＳ３６.４１３の９.２.１.６に規定されている情報要素であり、「Ｓｏｕｒｃｅ  ＩＤ」は、３ＧＰＰ  ＴＳ３６.４１３の９.２.１.５に規定されている情報要素である。
【００３５】
また、「ＲＡＮ  ＩＮＦＯＲＭＡＴＩＯＮ  ＲＥＬＡＹ」は、無線基地局ｅＮＢから交換局ＭＭＥに対して「ｅＮＢ  ＤＩＲＥＣＴ  ＩＮＦＯＲＭＡＴＩＯＮ  ＴＲＡＮＳＦＥＲ」を転送するためのメッセージである。
【００３６】
さらに、「ＤＩＲＥＣＴ  ＩＮＦＯＲＭＡＴＩＯＮ  ＴＲＡＮＳＦＥＲ」は、交換局ＳＧＳＮから無線回線制御局ＲＮＣに対して特定情報を転送するためのメッセージであり、かつ、無線回線制御局ＲＮＣから交換局ＳＧＳＮに対して特定情報を転送するためのメッセージである。
【００３７】
例えば、「ＤＩＲＥＣＴ  ＩＮＦＯＲＭＡＴＩＯＮ  ＴＲＡＮＳＦＥＲ」は、図８に示すように、情報要素（ＩＥ）として、「Ｍｅｓｓａｇｅ  Ｔｙｐｅ」、「Ｉｎｔｅｒ-ｓｙｓｔｅｍ  Ｉｎｆｏｒｍａｔｉｏｎ  Ｔｒａｎｓｆｅｒ  Ｔｙｐｅ」、「ＣＮ  Ｄｏｍａｉｎ  Ｉｎｄｉｃａｔｏｒ」、「Ｇｌｏｂａｌ  ＲＮＣ-ＩＤ」、「Ｇｌｏｂａｌ  ＣＮ-ＩＤ」及び「Ｅｘｔｅｎｄｅｄ  ＲＮＣ-ＩＤ」を有する。
【００３８】
「Ｉｎｔｅｒ-ｓｙｓｔｅｍ  Ｉｎｆｏｒｍａｔｉｏｎ  Ｔｒａｎｓｆｅｒ  Ｔｙｐｅ」は、図９に示すように、情報要素として、「ＲＩＭ  Ｔｒａｎｓｆｅｒ」、「Ｅ-ＵＴＲＡＮ  Ａｃｃｅｓｓ  Ｉｎｆｏ」又は「ＵＴＲＡＮ  Ａｃｃｅｓｓ  Ｉｎｆｏ」のいずれか１つを含む情報要素である。
【００３９】
図２の場合、「Ｉｎｔｅｒ-ｓｙｓｔｅｍ  Ｉｎｆｏｒｍａｔｉｏｎ  Ｔｒａｎｓｆｅｒ  Ｔｙｐｅ」には、情報要素として、「Ｅ-ＵＴＲＡＮ  Ａｃｃｅｓｓ  Ｉｎｆｏ」が含まれている。
【００４０】
ここで、「Ｅ-ＵＴＲＡＮ  Ａｃｃｅｓｓ  Ｉｎｆｏ」の構成は、図５乃至図７の構成と同一である。
【００４１】
また、「Ｍｅｓｓａｇｅ  Ｔｙｐｅ」は、３ＧＰＰ  ＴＳ２５.４１３の９.２.１.１に規定されている情報要素であり、「ＣＮ  Ｄｏｍａｉｎ  Ｉｎｄｉｃａｔｏｒ」は、３ＧＰＰ  ＴＳ２５.４１３の９.２.１.５に規定されている情報要素であり、「Ｇｌｏｂａｌ  ＲＮＣ-ＩＤ」は、３ＧＰＰ  ＴＳ２５.４１３の９.２.１.３９に規定されている情報要素であり、「Ｇｌｏｂａｌ  ＣＮ-ＩＤ」は、３ＧＰＰ  ＴＳ２５．４１３の９.２.１.４６に規定されている情報要素であり、「Ｅｘｔｅｎｄｅｄ  ＲＮＣ-ＩＤ」は、３ＧＰＰ  ＴＳ２５．４１３の９.２.１.３９ａに規定されている情報要素である。
【００４２】
ステップ２において、ＵＴＲＡＮ内のセルにて待ち受けを行っている移動局ＵＥが、ステップ３において、ＵＴＲＡＮ内のセルとＥ-ＵＴＲＡＮ内のセルとが地理的に重複しているエリアに移動し、ステップ４において、ＰＳ通信を開始するために、無線回線制御局ＲＮＣに対して、「ＲＲＣ  Ｃｏｎｎｅｃｔｉｏｎ  Ｒｅｑｕｅｓｔ（通信開始信号）」を送信する。
【００４３】
ステップ５において、無線回線制御局ＲＮＣは、「Ｅ-ＵＴＲＡＮ  Ａｃｃｅｓｓ  Ｒｅｌａｔｅｄ  Ｉｎｆｏｒｍａｉｏｎ」に基づいて、無線回線制御局ＲＮＣ配下のセル又は無線基地局ｅＮＢ配下のセルのどちらで移動局ＵＥの通信を開始すべきかについて決定する。
【００４４】
ここで、無線回線制御局ＲＮＣは、無線基地局ｅＮＢ配下のセルで移動局ＵＥのＰＳ通信を開始すべきであると決定した場合、すなわち、無線基地局ｅＮＢ配下のセルに対して「Ｆｉｒｓｔ  Ｒｅｄｉｒｅｃｔｉｏｎ」を行うべきであると決定した場合、移動局ＵＥに対して、その旨を示す「Ｒｅｄｉｒｅｃｔｉｏｎ  Ｉｎｆｏ（再接続指示信号）」を含む「ＲＲＣ  Ｃｏｎｎｅｃｔｉｏｎ  Ｒｅｊｅｃｔ」を送信する。
【００４５】
例えば、「Ｒｅｄｉｒｅｃｔｉｏｎ  Ｉｎｆｏ」は、情報要素として、「Ｆｒｅｑｕｅｎｃｙ  ｉｎｆｏ」又は「Ｉｎｔｅｒ-ＲＡＴ  ｉｎｆｏ」のいずれかを含む。
【００４６】
「Ｆｒｅｑｕｅｎｃｙ  ｉｎｆｏ」は、３ＧＰＰ  ＴＳ３６.３３１の１０.３.６.３６に規定されている情報要素であり、「Ｉｎｔｅｒ-ＲＡＴ  ｉｎｆｏ」は、３ＧＰＰ  ＴＳ３６.３３１の１０.３.７.２５に規定されている情報要素である。
【００４７】
例えば、「Ｉｎｔｅｒ-ＲＡＴ  ｉｎｆｏ」は、図１１に示すように、情報要素として、「ＧＳＭ  ｔａｒｇｅｔ  ｃｅｌｌ  ｉｎｆｏ」及び「Ｅ-ＵＴＲＡ  ｔａｒｇｅｔ  ｉｎｆｏ」を含む情報要素である。
【００４８】
「ＧＳＭ  ｔａｒｇｅｔ  ｃｅｌｌ  ｉｎｆｏ」は、「Ｆｉｒｓｔ  Ｒｅｄｉｒｅｃｔｉｏｎ」の対象ＲＡＴ（Ｒａｄｉｏ  Ａｃｃｅｓｓ  Ｔｅｃｈｎｏｌｏｇｙ）として「ＧＳＭ方式」が選択された際に設定される情報要素であり、３ＧＰＰ  ＴＳ３６.３３１の１０.３.８.４ｇに規定されている情報要素である。
【００４９】
「Ｅ-ＵＴＲＡ  ｔａｒｇｅｔ  ｉｎｆｏ」は、「Ｆｉｒｓｔ  Ｒｅｄｉｒｅｃｔｉｏｎ」の対象ＲＡＴとして「Ｅ-ＵＴＲＡ方式」が選択された際に設定される情報要素であり、３ＧＰＰ  ＴＳ３６.３３１の１０.３.８.４Ｌに規定されている情報要素である。
【００５０】
例えば、「Ｅ-ＵＴＲＡ  ｔａｒｇｅｔ  ｉｎｆｏ」は、図１２に示すように、情報要素として、「Ｅ-ＵＴＲＡ  Ｔａｒｇｅｔ  Ｆｒｅｑｕｅｎｃｙ  Ｉｎｆｏ  Ｌｉｓｔ」を有する。
【００５１】
「Ｅ-ＵＴＲＡ  Ｔａｒｇｅｔ  Ｆｒｅｑｕｅｎｃｙ  Ｉｎｆｏ  Ｌｉｓｔ」には、ＦＤＤ方式では、「ＤＬ  Ｃａｒｒｉｅｒ  ｆｒｅｑｕｅｎｃｙ」、「Ｂｌａｃｋｌｉｓｔｅｄ  ｃｅｌｌｓ  ｐｅｒ  ｆｒｅｑ  ｌｉｓｔ」及び「Ｐｈｙｓｉｃａｌ  Ｃｅｌｌ  ｉｄｅｎｔｉｔｙ」が設定可能であり、ＴＤＤ方式では、「Ｃａｒｒｉｅｒ  ｆｒｅｑｕｅｎｃｙ」、「Ｂｌａｃｋｌｉｓｔｅｄ  ｃｅｌｌｓ  ｐｅｒ  ｆｒｅｑ  ｌｉｓｔ」及び「Ｐｈｙｓｉｃａｌ  Ｃｅｌｌ  ｉｄｅｎｔｉｔｙ」が設定可能である。
【００５２】
その結果、移動局ＵＥは、受信した「Ｒｅｄｉｒｅｃｔｉｏｎ  Ｉｎｆｏ」内に「Ｅ-ＵＴＲＡ  Ｔａｒｇｅｔ  Ｆｒｅｑｕｅｎｃｙ  Ｉｎｆｏ  Ｌｉｓｔ」が設定されている場合、「Ｆｉｒｓｔ  Ｒｅｄｉｒｅｃｔｉｏｎ」の対象ＲＡＴとして「Ｅ-ＵＴＲＡ方式」を選択し、「Ｅ-ＵＴＲＡ  Ｔａｒｇｅｔ  Ｆｒｅｑｕｅｎｃｙ  Ｉｎｆｏ  Ｌｉｓｔ」内の設定情報に基づいて、Ｅ-ＵＴＲＡＮ内のセルを選択し、無線基地局ｅＮＢに対して、「ＲＲＣ  Ｃｏｎｎｅｃｔｉｏｎ  Ｒｅｑｕｅｓｔ」を送信することによって、Ｅ-ＵＴＲＡＮ内のセルにおいてＰＳ通信を開始する。
【００５３】
第２に、Ｅ-ＵＴＲＡＮ内のセルにて待ち受けを行っている移動局ＵＥがＵＴＲＡＮ内のセルにおいてＰＳ通信を開始する場合の例について説明する。
【００５４】
図１３に示すように、ステップ１において、無線回線制御局ＲＮＣ（第２無線アクセスネットワーク装置）が、無線基地局ｅＮＢ（第１無線アクセスネットワーク装置）に対して、無線回線制御局ＲＮＣにおける負荷情報又は無線回線制御局ＲＮＣ配下のセルについての規制情報の少なくとも一方を含む「ＵＴＲＡＮ  Ａｃｃｅｓｓ  Ｒｅｌａｔｅｄ  Ｉｎｆｏｒｍａｔｉｏｎ（アクセス情報）」を通知する。
【００５５】
具体的には、図１４に示すように、第１に、無線回線制御局ＲＮＣが、Ｉｕインターフェイスを介して、交換局ＳＧＳＮに対して、「ＤＩＲＥＣＴ  ＩＮＦＯＲＭＡＴＩＯＮ  ＴＲＡＮＳＦＥＲ」を用いて、「ＵＴＲＡＮ  Ａｃｃｅｓｓ  Ｒｅｌａｔｅｄ  Ｉｎｆｏｒｍａｔｉｏｎ」を送信し、第２に、交換局ＳＧＳＮが、Ｓ３インターフェイスを介して、交換局ＭＭＥに対して、「ＲＡＮ  ＩＮＦＯＲＭＡＴＩＯＮ  ＲＥＬＡＹ」を用いて、「ＵＴＲＡＮ  Ａｃｃｅｓｓ  Ｒｅｌａｔｅｄ  Ｉｎｆｏｒｍａｔｉｏｎ」を転送し、第３に、交換局ＭＭＥが、Ｓ１インターフェイスを介して、無線基地局ｅＮＢに対して、「ＭＭＥ  ＤＩＲＥＣＴ  ＩＮＦＯＲＭＡＴＩＯＮ  ＴＲＡＮＳＦＥＲ」を用いて、「ＵＴＲＡＮ  Ａｃｃｅｓｓ  Ｒｅｌａｔｅｄ  Ｉｎｆｏｒｍａｔｉｏｎ」を転送することによって、無線回線制御局ＲＮＣが、無線基地局ｅＮＢに対して、「ＵＴＲＡＮ  Ａｃｃｅｓｓ  Ｒｅｌａｔｅｄ  Ｉｎｆｏｒｍａｔｉｏｎ」を通知することができる。
【００５６】
ここで、「ＤＩＲＥＣＴ  ＩＮＦＯＲＭＡＴＩＯＮ  ＴＲＡＮＳＦＥＲ」は、無線回線制御局ＲＮＣから交換局ＳＧＳＮに対して特定情報を転送するためのメッセージであり、例えば、図８に示す情報要素を有する。
【００５７】
図１４の場合、「ＤＩＲＥＣＴ  ＩＮＦＯＲＭＡＴＩＯＮ  ＴＲＡＮＳＦＥＲ」に含まれている情報要素である「Ｉｎｔｅｒ-ｓｙｓｔｅｍ  Ｉｎｆｏｒｍａｔｉｏｎ  Ｔｒａｎｓｆｅｒ  Ｔｙｐｅ」には、情報要素として、「ＵＴＲＡＮ  Ａｃｃｅｓｓ  Ｉｎｆｏ」が含まれている（図９参照）。
【００５８】
「ＵＴＲＡＮ  Ａｃｃｅｓｓ  Ｉｎｆｏ」は、図１５に示すように、情報要素として、「ＵＴＲＡＮ  Ａｃｃｅｓｓ  Ｒｅｌａｔｅｄ  Ｉｎｆｏｒｍａｔｉｏｎ」及び「ＵＴＲＡＮ  Ｒｏｕｔｉｎｇ  Ａｄｄｒｅｓｓ」を有する。
【００５９】
「ＵＴＲＡＮ  Ａｃｃｅｓｓ  Ｒｅｌａｔｅｄ  Ｉｎｆｏｒｍａｉｏｎ」は、図１６に示すように、情報要素として、「Ｏｖｅｒｌｏａｄ  Ｓｔａｒｔ  ａｃｔｉｖａｔｉｏｎ  ｓｔａｔｕｓ」及び「Ｓｅｒｖｅｄ  Ｃｅｌｌｓ」を有する。
【００６０】
「Ｏｖｅｒｌｏａｄ  Ｓｔａｒｔ  ａｃｔｉｖａｔｉｏｎ  ｓｔａｔｕｓ」は、交換局ＳＧＳＮから、「ＤＩＲＥＣＴ  ＩＮＦＯＲＭＡＴＩＯＮ  ＴＲＡＮＳＦＥＲ」の送信元の無線アクセスネットワーク装置（図１４の例では、無線回線制御局ＲＮＣ）に対して、オーバーロード状態の開始が指示されているか否かについて示す情報要素である。
【００６１】
「Ｓｅｒｖｅｄ  Ｃｅｌｌｓ」は、「Ｓｃｒａｍｂｌｉｎｇ  Ｃｏｄｅ」、「ＵＴＲＡＮ  Ｃｅｌｌ  ＩＤ」、「Ｃｅｌｌ  Ｒｅｓｅｒｖｅｄ  Ｆｏｒ  Ｏｐｅｒａｔｏｒ  Ｕｓｅ」、「Ｃｅｌｌ  Ｂａｒｒｅｄ」、「Ｒａｄｉｏ  Ｒｅｓｏｕｒｃｅ  Ｓｔａｔｕｓ」、「Ｈａｒｄｗａｒｅ  Ｌｏａｄ」、「ＴＮＬ  Ｌｏａｄ」を指定することができる情報要素である。
【００６２】
「ＰＣＩ」は、ＰＳ通信を提供可能なセルのスクランブリングコードを含む情報であり、「ＵＴＲＡＮ  Ｃｅｌｌ  ＩＤ」は、ＰＳ通信を提供可能なセルについてＵＴＲＡＮ内で一意に特定できるセルＩＤを含む情報である。
【００６３】
「Ｃｅｌｌ  Ｒｅｓｅｒｖｅｄ  Ｆｏｒ  Ｏｐｅｒａｔｏｒ  Ｕｓｅ」は、オペレータの工事又は試験用に使用されているセルのリストを含む情報（規制情報の一種）である。
【００６４】
「Ｃｅｌｌ  Ｂａｒｒｅｄ」は、通信規制中のセルのリストを含む情報（規制情報の一種）である。
【００６５】
「Ｒａｄｉｏ  Ｒｅｓｏｕｒｃｅ  Ｓｔａｔｕｓ」は、下りリンクにおける送信電力（送信キャリアの電力）を含む情報（負荷情報の一種）である。
【００６６】
「Ｈａｒｄｗａｒｅ  Ｌｏａｄ」は、「ＤＩＲＥＣＴ  ＩＮＦＯＲＭＡＴＩＯＮ  ＴＲＡＮＳＦＥＲ」の送信元の無線アクセスネットワーク装置（図１４の例では、無線回線制御局ＲＮＣ）のハードウェア（例えば、ＣＰＵ）の負荷を示すインディケータを含む情報（負荷情報の一種）である。
【００６７】
「ＴＮＬ  Ｌｏａｄ」は、トランスポートネットワーク（「ＤＩＲＥＣＴ  ＩＮＦＯＲＭＡＴＩＯＮ  ＴＲＡＮＳＦＥＲ」の送信元の無線アクセスネットワーク装置（図１４の例では、無線回線制御局ＲＮＣ）とコアネットワーク装置（図１４の例では、交換局ＳＧＳＮとの間の伝送路）の負荷を示すインディケータを含む情報（負荷情報の一種）である。
【００６８】
また、「ＵＴＲＡＮ  Ｒｏｕｔｉｎｇ  Ａｄｄｒｅｓｓ」は、図７に示すように、情報要素として、「Ｔａｒｇｅｔ  ＩＤ」及び「Ｓｏｕｒｃｅ  ＩＤ」を有する。ここで、「Ｔａｒｇｅｔ  ＩＤ」は、３ＧＰＰ  ＴＳ３６.４１３の９.２.１.６に規定されている情報要素であり、「Ｓｏｕｒｃｅ  ＩＤ」は、３ＧＰＰ  ＴＳ３６.４１３の９.２.１.５に規定されている情報要素である。
【００６９】
また「ＭＭＥ  ＤＩＲＥＣＴ  ＩＮＦＯＲＭＡＴＩＯＮ  ＴＲＡＮＳＦＥＲ」は、交換局ＭＭＥから無線基地局ｅＮＢに対して特定情報を転送するためのメッセージであり、例えば、図１７に示すように、情報要素として、「Ｍｅｓｓａｇｅ  Ｔｙｐｅ」及び「Ｉｎｆｏｒｍａｔｉｏｎ  Ｔｒａｎｓｆｅｒ  Ｔｙｐｅ」を有する。
【００７０】
「Ｍｅｓｓａｇｅ  Ｔｙｐｅ」は、３ＧＰＰ  ＴＳ３６.４１３の９.２.１.１に規定されている情報要素であり、「Ｉｎｆｏｒｍａｔｉｏｎ  Ｔｒａｎｓｆｅｒ  Ｔｙｐｅ」は、図４に示す情報要素を含む。
【００７１】
なお、図１４の場合、「ＭＭＥ  ＤＩＲＥＣＴ  ＩＮＦＯＲＭＡＴＩＯＮ  ＴＲＡＮＳＦＥＲ」に含まれている情報要素である「Ｉｎｔｅｒ-ｓｙｓｔｅｍ  Ｉｎｆｏｒｍａｔｉｏｎ  Ｔｒａｎｓｆｅｒ  Ｔｙｐｅ」には、情報要素として、「ＵＴＲＡＮ  Ａｃｃｅｓｓ  Ｉｎｆｏ」が含まれている（図４参照）。
【００７２】
図１８に示すように、本実施形態に係る無線回線制御局ＲＮＣ及び無線基地局ｅＮＢは、ＲＡＴ間情報送信部１０と、ＲＡＴ間情報受信部１１と、Ｒｅｄｉｒｅｃｔｉｏｎ情報決定部１２と、Ｒｅｄｉｒｅｃｔｉｏｎ情報作成部１３と、Ｒｅｄｉｒｅｃｔｉｏｎ情報送信部１４とを具備している。
【００７３】
無線回線制御局ＲＮＣにおいて、ＲＡＴ間情報送信部１０は、上述のように、無線基地局ｅＮＢに対して、「ＵＴＲＡＮ  Ａｃｃｅｓｓ  Ｒｅｌａｔｅｄ  Ｉｎｆｏｒｍａｔｉｏｎ」を送信するように構成されている。
【００７４】
ここで、ＲＡＴ間情報送信部１０は、「ＵＴＲＡＮ  Ａｃｃｅｓｓ  Ｒｅｌａｔｅｄ  Ｉｎｆｏｒｍａｔｉｏｎ（負荷情報又は規制情報）」に変更があった場合、或いは、無線基地局ｅＮＢからの要求があった場合に、かかる「ＵＴＲＡＮ  Ａｃｃｅｓｓ  Ｒｅｌａｔｅｄ  Ｉｎｆｏｒｍａｉｏｎ」を送信するように構成されていてもよい。
【００７５】
一方、無線基地局ｅＮＢにおいて、ＲＡＴ間情報送信部１０は、上述のように、無線回線制御局ＲＮＣに対して、「Ｅ-ＵＴＲＡＮ  Ａｃｃｅｓｓ  Ｒｅｌａｔｅｄ  Ｉｎｆｏｒｍａｔｉｏｎ」を送信するように構成されている。
【００７６】
ここで、ＲＡＴ間情報送信部１０は、「Ｅ-ＵＴＲＡＮ  Ａｃｃｅｓｓ  Ｒｅｌａｔｅｄ  Ｉｎｆｏｒｍａｔｉｏｎ（負荷情報又は規制情報）」に変更があった場合、或いは、無線回線制御局ＲＮＣからの要求があった場合に、かかる「Ｅ-ＵＴＲＡＮ  Ａｃｃｅｓｓ  Ｒｅｌａｔｅｄ  Ｉｎｆｏｒｍａｔｉｏｎ」を送信するように構成されていてもよい。
【００７７】
無線回線制御局ＲＮＣにおいて、ＲＡＴ間情報受信部１１は、上述のように、無線基地局ｅＮＢから、「Ｅ-ＵＴＲＡＮ  Ａｃｃｅｓｓ  Ｒｅｌａｔｅｄ  Ｉｎｆｏｒｍａｔｉｏｎ」を受信するように構成されている。
【００７８】
一方、無線基地局ｅＮＢにおいて、ＲＡＴ間情報受信部１１は、上述のように、無線回線制御局ＲＮＣから、「ＵＴＲＡＮ  Ａｃｃｅｓｓ  Ｒｅｌａｔｅｄ  Ｉｎｆｏｒｍａｔｉｏｎ」を受信するように構成されている。
【００７９】
無線回線制御局ＲＮＣにおいて、Ｒｅｄｉｒｅｃｔｉｏｎ情報決定部１２は、無線回線制御局ＲＮＣ配下のセルにて待ち受けを行っている移動局ＵＥが、無線回線制御局ＲＮＣ配下のセルと無線基地局ｅＮＢ配下のセルとが重複するエリアに移動し、無線回線制御局ＲＮＣに対して、「ＲＲＣ  Ｃｏｎｎｅｃｔｉｏｎ  Ｒｅｑｕｅｓｔ」を送信した場合に、ＲＡＴ間情報受信部１１によって受信された「Ｅ-ＵＴＲＡＮ  Ａｃｃｅｓｓ  Ｒｅｌａｔｅｄ  Ｉｎｆｏｒｍａｔｉｏｎ」に基づいて、無線回線制御局ＲＮＣ配下のセル又は無線基地局ｅＮＢ配下のセルのどちらで移動局ＵＥの通信を開始すべきかについて決定するように構成されている。
【００８０】
一方、無線基地局ｅＮＢにおいて、Ｒｅｄｉｒｅｃｔｉｏｎ情報決定部１２は、無線基地局ｅＮＢ配下のセルにて待ち受けを行っている移動局ＵＥが、無線基地局ｅＮＢ配下のセルと無線回線制御局ＲＮＣ配下のセルとが重複するエリアに移動し、無線基地局ｅＮＢに対して、「ＲＲＣ  Ｃｏｎｎｅｃｔｉｏｎ  Ｒｅｑｕｅｓｔ」を送信した場合に、ＲＡＴ間情報受信部１１によって受信された「ＵＴＲＡＮ  Ａｃｃｅｓｓ  Ｒｅｌａｔｅｄ  Ｉｎｆｏｒｍａｔｉｏｎ」に基づいて、無線回線制御局ＲＮＣ配下のセル又は無線基地局ｅＮＢ配下のセルのどちらで移動局ＵＥの通信を開始すべきかについて決定するように構成されている。
【００８１】
無線回線制御局ＲＮＣにおいて、Ｒｅｄｉｒｅｃｔｉｏｎ情報決定部１２が、上述のように、無線基地局ｅＮＢ配下のセルで移動局ＵＥの通信を開始すべきであると決定した場合、Ｒｅｄｉｒｅｃｔｉｏｎ情報作成部１３は、その旨を示す「Ｒｅｄｉｒｅｃｔｉｏｎ  Ｉｎｆｏ（図１０乃至図１２参照）」を生成し、Ｒｅｄｉｒｅｃｔｉｏｎ情報送信部１４は、移動局ＵＥに対して、かかる「Ｒｅｄｉｒｅｃｔｉｏｎ  Ｉｎｆｏ」を含む「ＲＲＣ  Ｃｏｎｎｅｃｔｉｏｎ  Ｒｅｊｅｃｔ」を送信するように構成されている。
【００８２】
無線基地局ｅＮＢにおいて、Ｒｅｄｉｒｅｃｔｉｏｎ情報決定部１２が、上述のように、無線回線制御局ＲＮＣ配下のセルで移動局ＵＥの通信を開始すべきであると決定した場合、Ｒｅｄｉｒｅｃｔｉｏｎ情報作成部１３は、その旨を示す「Ｒｅｄｉｒｅｃｔｉｏｎ  Ｉｎｆｏ（図１０乃至図１２参照）」を生成し、Ｒｅｄｉｒｅｃｔｉｏｎ情報送信部１４は、移動局ＵＥに対して、かかる「Ｒｅｄｉｒｅｃｔｉｏｎ  Ｉｎｆｏ」を含む「ＲＲＣ  Ｃｏｎｎｅｃｔｉｏｎ  Ｒｅｊｅｃｔ」を送信するように構成されている。
【００８３】
本発明の第１の実施形態に係る移動通信システムによれば、第１無線アクセスネットワーク装置（例えば、無線回線制御局ＲＮＣ又は無線基地局ｅＮＢ）が、第２無線アクセスネットワーク装置（例えば、無線基地局ｅＮＢ又は無線回線制御局ＲＮＣ）から、第２無線アクセスネットワーク装置におけるアクセス情報を取得し、かかるアクセス情報に基づいて、移動局ＵＥが通信を開始するセル又はＲＡＴを適切に選択することができる。
【００８４】
以上に述べた本実施形態の特徴は、以下のように表現されていてもよい。
【００８５】
本実施形態の第１の特徴は、移動通信方法であって、Ｅ-ＵＴＲＡＮ（第２無線アクセスネットワーク）内の無線基地局ｅＮＢ（第２無線アクセスネットワーク装置）が、ＵＴＲＡＮ（第１無線アクセスネットワーク）内の無線回線制御局ＲＮＣ（第１無線アクセスネットワーク装置）に対して、無線基地局ｅＮＢにおける負荷情報又は無線基地局ｅＮＢ配下のセルについての規制情報の少なくとも一方を含む「Ｅ-ＵＴＲＡＮ  Ａｃｃｅｓｓ  Ｒｅｌａｔｅｄ  Ｉｎｆｏｒｍａｔｉｏｎ（アクセス情報）」を通知する工程Ａと、無線回線制御局ＲＮＣ配下のセルにて待ち受けを行っている移動局ＵＥが、無線回線制御局ＲＮＣ配下のセルと無線基地局ｅＮＢ配下のセルとが重複するエリアに移動した場合に、無線回線制御局ＲＮＣに対して、「ＲＲＣ  Ｃｏｎｎｅｃｔｉｏｎ  Ｒｅｑｕｅｓｔ（通信開始要求信号）」を送信する工程Ｂと、無線回線制御局ＲＮＣが、「Ｅ-ＵＴＲＡＮ  Ａｃｃｅｓｓ  Ｒｅｌａｔｅｄ  Ｉｎｆｏｒｍａｔｉｏｎ」に基づいて、無線回線制御局ＲＮＣ配下のセル又は無線基地局ｅＮＢ配下のセルのどちらで移動局ＵＥの通信を開始すべきかについて決定する工程Ｃとを有することを要旨とする。
【００８６】
本実施形態の第１の特徴において、無線回線制御局ＲＮＣが、工程Ｃにおいて、無線基地局ｅＮＢ配下のセルで移動局ＵＥの通信を開始すべきであると決定した場合、移動局ＵＥに対して、その旨を示す「Ｒｅｄｉｒｅｃｔｉｏｎ  Ｉｎｆｏ（再接続指示信号）」を送信する工程Ｄを更に有してもよい。
【００８７】
本実施形態の第１の特徴において、工程Ａは、無線基地局ｅＮＢが、無線基地局ｅＮＢを収容する交換局ＭＭＥに対して、「Ｅ-ＵＴＲＡＮ  Ａｃｃｅｓｓ  Ｒｅｌａｔｅｄ  Ｉｎｆｏｒｍａｔｉｏｎ」を送信する工程と、交換局ＭＭＥが、無線回線制御局ＲＮＣを収容する交換局ＳＧＳＮに対して、「Ｅ-ＵＴＲＡＮ  Ａｃｃｅｓｓ  Ｒｅｌａｔｅｄ  Ｉｎｆｏｒｍａｔｉｏｎ」を転送する工程と、交換局ＳＧＳＮが、無線回線制御局ＲＮＣに対して、「Ｅ-ＵＴＲＡＮ  Ａｃｃｅｓｓ  Ｒｅｌａｔｅｄ  Ｉｎｆｏｒｍａｔｉｏｎ」を転送する工程とを有してもよい。
【００８８】
本実施形態の第１の特徴において、工程Ａにおいて、上述の負荷情報又は規制情報に変更があった場合、或いは、無線回線制御局ＲＮＣからの要求があった場合に、無線基地局ｅＮＢが、無線回線制御局ＲＮＣに対して、かかる負荷情報又は規制情報を含む「Ｅ-ＵＴＲＡＮ  Ａｃｃｅｓｓ  Ｒｅｌａｔｅｄ  Ｉｎｆｏｒｍａｔｉｏｎ」を通知してもよい。
【００８９】
本実施形態の第２の特徴は、ＵＴＲＡＮ（第２無線アクセスネットワーク）内の無線回線制御局ＲＮＣ（第２無線アクセスネットワーク装置）が、Ｅ-ＵＴＲＡＮ（第１無線アクセスネットワーク）内の無線基地局ｅＮＢ（第１無線アクセスネットワーク装置）に対して、無線回線制御局ＲＮＣにおける負荷情報又は無線回線制御局ＲＮＣ配下のセルについての規制情報の少なくとも一方を含む「ＵＴＲＡＮ  Ａｃｃｅｓｓ  Ｒｅｌａｔｅｄ  Ｉｎｆｏｒｍａｔｉｏｎ（アクセス情報）」を通知する工程Ａと、無線基地局ｅＮＢ配下のセルにて待ち受けを行っている移動局ＵＥが、無線基地局ｅＮＢ配下のセルと無線回線制御局ＲＮＣ配下のセルとが重複するエリアに移動した場合に、無線基地局ｅＮＢに対して、「ＲＲＣ  Ｃｏｎｎｅｃｔｉｏｎ  Ｒｅｑｕｅｓｔ（通信開始要求信号）」を送信する工程Ｂと、無線基地局ｅＮＢが、「ＵＴＲＡＮ  Ａｃｃｅｓｓ  Ｒｅｌａｔｅｄ  Ｉｎｆｏｒｍａｔｉｏｎ」に基づいて、無線基地局ｅＮＢ配下のセル又は無線回線制御局ＲＮＣ配下のセルのどちらで移動局ＵＥの通信を開始すべきかについて決定する工程Ｃとを有することを要旨とする。
【００９０】
本実施形態の第２の特徴において、無線基地局ｅＮＢが、工程Ｃにおいて、無線回線制御局ＲＮＣ配下のセルで移動局ＵＥの通信を開始すべきであると決定した場合、移動局ＵＥに対して、その旨を示す「Ｒｅｄｉｒｅｃｔｉｏｎ  Ｉｎｆｏ（再接続指示信号）」を送信する工程Ｄを更に有してもよい。
【００９１】
本実施形態の第２の特徴において、工程Ａは、無線回線制御局ＲＮＣが、無線回線制御局ＲＮＣを収容する交換局ＳＧＳＮに対して、「ＵＴＲＡＮ  Ａｃｃｅｓｓ  Ｒｅｌａｔｅｄ  Ｉｎｆｏｒｍａｔｉｏｎ」を送信する工程と、交換局ＳＧＳＮが、無線基地局ｅＮＢを収容する交換局ＭＭＥに対して、「ＵＴＲＡＮ  Ａｃｃｅｓｓ  Ｒｅｌａｔｅｄ  Ｉｎｆｏｒｍａｔｉｏｎ」を転送する工程と、交換局ＭＭＥが、無線基地局ｅＮＢに対して、「ＵＴＲＡＮ  Ａｃｃｅｓｓ  Ｒｅｌａｔｅｄ  Ｉｎｆｏｒｍａｉｏｎ」を転送する工程とを有してもよい。
【００９２】
本実施形態の第２の特徴において、工程Ａにおいて、上述の負荷情報又は規制情報に変更があった場合、或いは、無線基地局ｅＮＢからの要求があった場合に、無線回線制御局ＲＮＣが、無線基地局ｅＮＢに対して、かかる負荷情報又は規制情報を含む「ＵＴＲＡＮ  Ａｃｃｅｓｓ  Ｒｅｌａｔｅｄ  Ｉｎｆｏｒｍａｔｉｏｎ」を通知してもよい。
【００９３】
本実施形態の第３の特徴は、無線基地局ｅＮＢであって、無線回線制御局ＲＮＣを収容する交換局ＳＧＳＮに対して特定情報を転送するための「ｅＮＢ  ＤＩＲＥＣＴ  ＩＮＦＯＲＭＡＴＩＯＮ  ＴＲＡＮＳＦＥＲ（メッセージ）」内に、無線基地局ｅＮＢにおける負荷情報又は無線基地局ｅＮＢ配下のセルについての規制情報の少なくとも一方を含む「Ｅ-ＵＴＲＡＮ  Ａｃｃｅｓｓ  Ｒｅｌａｔｅｄ  Ｉｎｆｏｒｍａｔｉｏｎ」を含めて、無線基地局ｅＮＢを収容する交換局ＭＭＥに対して送信することによって、無線回線制御局ＲＮＣに対して、かかる「Ｅ-ＵＴＲＡＮ  Ａｃｃｅｓｓ  Ｒｅｌａｔｅｄ  Ｉｎｆｏｒｍａｔｉｏｎ」を通知するように構成されているＲＡＴ間情報送信部１０を具備することを要旨とする。
【００９４】
本実施形態の第３の特徴において、ＲＡＴ間情報送信部１０は、上述の負荷情報又は規制情報に変更があった場合、或いは、無線回線制御局ＲＮＣからの要求があった場合に、無線回線制御局ＲＮＣに対して、上述の「Ｅ-ＵＴＲＡＮ  Ａｃｃｅｓｓ  Ｒｅｌａｔｅｄ  Ｉｎｆｏｒｍａｔｉｏｎ」を通知するように構成されていてもよい。
【００９５】
本実施形態の第４の特徴は、無線回線制御局ＲＮＣであって、無線基地局ｅＮＢを収容する交換局ＭＭＥに対して特定情報を転送するための「ＤＩＲＥＣＴ  ＩＮＦＯＲＭＡＴＩＯＮ  ＴＲＡＮＳＦＥＲ（メッセージ）」内に、無線回線制御局ＲＮＣにおける負荷情報又は無線回線制御局ＲＮＣ配下のセルについての規制情報の少なくとも一方を含む「ＵＴＲＡＮ  Ａｃｃｅｓｓ  Ｒｅｌａｔｅｄ  Ｉｎｆｏｒｍａｔｉｏｎ」を含めて、無線回線制御局ＲＮＣを収容する交換局ＳＧＳＮに対して送信することによって、無線基地局ｅＮＢに対して、かかる「ＵＴＲＡＮ  Ａｃｃｅｓｓ  Ｒｅｌａｔｅｄ  Ｉｎｆｏｒｍａｔｉｏｎ」を通知するように構成されているＲＡＴ間情報送信部１０を具備することを要旨とする。
【００９６】
本実施形態の第４の特徴において、ＲＡＴ間情報送信部１０は、上述の負荷情報又は規制情報に変更があった場合、或いは、無線基地局ｅＮＢからの要求があった場合に、無線基地局ｅＮＢに対して、上述の「ＵＴＲＡＮ  Ａｃｃｅｓｓ  Ｒｅｌａｔｅｄ  Ｉｎｆｏｒｍａｔｉｏｎ」を通知するように構成されていてもよい。
【００９７】
本実施形態の第５の特徴は、無線回線制御局ＲＮＣであって、無線基地局ｅＮＢから、無線基地局ｅＮＢにおける負荷情報又は無線基地局ｅＮＢ配下のセルについての規制情報の少なくとも一方を含む「Ｅ-ＵＴＲＡＮ  Ａｃｃｅｓｓ  Ｒｅｌａｔｅｄ  Ｉｎｆｏｒｍａｔｉｏｎ」を取得するように構成されているＲＡＴ間情報受信部１１と、無線回線制御局ＲＮＣ配下のセルにて待ち受けを行っている移動局ＵＥが、無線回線制御局ＲＮＣ配下のセルと無線基地局ｅＮＢ配下のセルとが重複するエリアに移動し、無線回線制御局ＲＮＣに対して、「ＲＲＣ  Ｃｏｎｎｅｃｔｉｏｎ  Ｒｅｑｕｅｓｔ」を送信した場合に、「Ｅ-ＵＴＲＡＮ  Ａｃｃｅｓｓ  Ｒｅｌａｔｅｄ  Ｉｎｆｏｒｍａｔｉｏｎ」に基づいて、無線回線制御局ＲＮＣ配下のセル又は無線基地局ｅＮＢ配下のセルのどちらで移動局ＵＥの通信を開始すべきかについて決定するように構成されているＲｅｄｉｒｅｃｔｉｏｎ情報決定部１２とを具備することを要旨とする。
【００９８】
本実施形態の第５の特徴において、Ｒｅｄｉｒｅｃｔｉｏｎ情報決定部１２が、無線基地局ｅＮＢ配下のセルで移動局ＵＥの通信を開始すべきであると決定した場合、移動局ＵＥに対して、その旨を示す「Ｒｅｄｉｒｅｃｔｉｏｎ  Ｉｎｆｏ」を送信するように構成されているＲｅｄｉｒｅｃｉｔｏｎ情報送信部１４を更に具備してもよい。
【００９９】
本実施形態の第６の特徴は、無線基地局ｅＮＢであって、無線基地局ｅＮＢから、無線回線制御局ＲＮＣにおける負荷情報又は無線回線制御局ＲＮＣ配下のセルについての規制情報の少なくとも一方を含む「ＵＴＲＡＮ  Ａｃｃｅｓｓ  Ｒｅｌａｔｅｄ  Ｉｎｆｏｒｍａｔｉｏｎ」を取得するように構成されているＲＡＴ間情報受信部１１と、無線基地局ｅＮＢ配下のセルにて待ち受けを行っている移動局ＵＥが、無線基地局ｅＮＢ配下のセルと無線回線制御局ＲＮＣ配下のセルとが重複するエリアに移動し、無線基地局ｅＮＢに対して、「ＲＲＣ  Ｃｏｎｎｅｃｔｉｏｎ  Ｒｅｑｕｅｓｔ」を送信した場合に、「ＵＴＲＡＮ  Ａｃｃｅｓｓ  Ｒｅｌａｔｅｄ  Ｉｎｆｏｒｍａｔｉｏｎ」に基づいて、無線基地局ｅＮＢ配下のセル又は無線回線制御局ＲＮＣ配下のセルのどちらで移動局ＵＥの通信を開始すべきかについて決定するように構成されているＲｅｄｉｒｅｃｔｉｏｎ情報決定部１２とを具備することを要旨とする。
【０１００】
本実施形態の第６の特徴において、Ｒｅｄｉｒｅｃｔｉｏｎ情報決定部１２が、無線回線制御局ＲＮＣ配下のセルで移動局ＵＥの通信を開始すべきであると決定した場合、移動局ＵＥに対して、その旨を示す「Ｒｅｄｉｒｅｃｔｉｏｎ  Ｉｎｆｏ」を送信するように構成されているＲｅｄｉｒｅｃｉｔｏｎ情報送信部１４を更に具備してもよい。
【０１０１】
（変更例）
なお、上述の交換局ＭＭＥ/ＳＧＳＮや無線回線制御局ＲＮＣや無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１０２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、交換局ＭＭＥ/ＳＧＳＮや無線回線制御局ＲＮＣや無線基地局ｅＮＢや移動局ＵＥ内に設けられていてもよい。また、かかる記憶媒体及びプロセッサは、ディスクリートコンポーネントとして交換局ＭＭＥ/ＳＧＳＮや無線回線制御局ＲＮＣや無線基地局ｅＮＢや移動局ＵＥ内に設けられていてもよい。
【０１０４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０５】
ＵＥ…移動局
ＭＭＥ、ＳＧＳＮ…交換局
ＲＮＣ…無線回線制御局
ｅＮＢ…無線基地局
１０…ＲＡＴ間情報送信部
１１…ＲＡＴ間情報受信部
１２…Ｒｅｄｉｒｅｃｔｉｏｎ情報決定部
１３…Ｒｅｄｉｒｅｃｔｉｏｎ情報作成部
１４…Ｒｅｄｉｒｅｃｔｉｏｎ情報送信部
【図１】
2010258898.tif 000003
【図２】
2010258898.tif 000004
【図３】
2010258898.tif 000005
【図４】
2010258898.tif 000006
【図５】
2010258898.tif 000007
【図６】
2010258898.tif 000008
【図７】
2010258898.tif 000009
【図８】
2010258898.tif 000010
【図９】
2010258898.tif 000011
【図１０】
2010258898.tif 000012
【図１１】
2010258898.tif 000013
【図１２】
2010258898.tif 000014
【図１３】
2010258898.tif 000015
【図１４】
2010258898.tif 000016
【図１５】
2010258898.tif 000017
【図１６】
2010258898.tif 000018
【図１７】
2010258898.tif 000019
【図１８】
2010258898.tif 000020
【図１９】
2010258898.tif 000021